(57)【要約】【課題】  画像合成後のレイアウト変更に自由度を持たせる。【解決手段】  画像合成後、テンプレート表示領域２５に表示されている画像の中からユーザーが編集したい画像を選択し、「ズーム率」を示すボックス２８の倍率を増減することにより、テンプレート表示領域２５に表示されている画像データ２２を修正する。また、「画像回転」を示すボックス２９に回転させたい角度を入力することで、画像データ２２を回転する。【選択図】  図５
2006005840.tif 000002
【特許請求の範囲】
【請求項１】
少なくとも１つの対象画像をテンプレート画像に合成する写真処理装置であって、
前記対象画像をサムネイル表示するサムネイル表示手段と、
前記サムネイル表示された対象画像のうち少なくとも１つを選択し、該選択された対象画像を前記テンプレート画像に形成された少なくとも１つの画像合成領域に合成する画像合成手段と、
前記画像合成領域の領域サイズに応じて、前記合成された対象画像の画像サイズの拡大もしくは縮小、又は該対象画像の角度もしくは位置の調整を行う画像調整手段と、
前記画像合成されたテンプレート画像をプリント用紙にプリントするプリント手段とを備えていることを特徴とする写真処理装置。
【請求項２】
請求項１に記載された写真処理装置において、
前記プリント手段による前記テンプレート画像のプリント前に、該テンプレート画像を所定寸法に拡大又は縮小する画像寸法変更手段をさらに備えていることを特徴とする写真処理装置。
【請求項３】
請求項２に記載された写真処理装置において、
前記テンプレート画像を前記所定寸法でプリントするために必要な前記プリント用紙の用紙サイズと、プリント用にセットされている該プリント用紙の用紙サイズとを比較判別する判別手段と、
前記判別手段の判別により、前記用紙サイズが不適合と判断された場合に、オペレーターに対して用紙サイズのエラーを通知するエラー通知手段とをさらに備えていることを特徴とする写真処理装置。
【請求項４】
請求項１乃至３のうち何れか１項に記載された写真処理装置において、
前記テンプレート画像は、所定の形状物を作るためのペーパークラフトの展開図であることを特徴とする写真処理装置。
【請求項５】
請求項４に記載された写真処理装置において、
前記テンプレート画像の画像合成領域は、透明フィルタにより透明に形成されていることを特徴とする写真処理装置。
【請求項６】
請求項４又は５に記載された写真処理装置において、
前記テンプレート画像は、装飾用カバーの展開図であることを特徴とする写真処理装置。
【請求項７】
請求項４又は５に記載された写真処理装置において、
前記テンプレート画像は、写真飾り用のフレーム枠の展開図であり、
前記展開図は、前記対象画像と前記フレーム枠とが一体にプリントされ且つ組み立てによって該フレーム枠が立体的となるように形成されていることを特徴とする写真処理装置。
【請求項８】
少なくとも１つの対象画像をテンプレート画像に合成する写真処理方法であって、
前記対象画像をサムネイル表示するサムネイル表示ステップと、
前記サムネイル表示された対象画像のうち少なくとも１つを選択し、該選択された対象画像を前記テンプレート画像に形成された少なくとも１つの画像合成領域に合成する画像合成ステップと、
前記画像合成領域の領域サイズに応じて、前記合成された対象画像の画像サイズの拡大もしくは縮小、又は該対象画像の角度もしくは位置の調整を行う画像調整ステップと、
前記画像合成されたテンプレート画像をプリント用紙にプリントするプリントステップとを行うことを特徴とする写真処理方法。
【請求項９】
請求項８に記載された写真処理方法において、
前記画像調整ステップと前記プリントステップとの間で、前記テンプレート画像を所定寸法に拡大又は縮小する画像寸法変更ステップをさらに行うことを特徴とする写真処理方法。
【請求項１０】
請求項９に記載された写真処理方法において、
前記画像寸法変更ステップと前記プリントステップとの間で、
前記テンプレート画像を前記所定寸法でプリントするために必要な前記プリント用紙の用紙サイズと、プリント用にセットされている該プリント用紙の用紙サイズとを比較判別する判別ステップと、
前記判別ステップの判別により、前記用紙サイズが不適合と判断された場合に、オペレーターに対して用紙サイズのエラーを通知するエラー通知ステップとをさらに行うことを特徴とする写真処理方法。
【発明の詳細な説明】
【技術分野】
【０００１】
本発明は、デジタルカメラ等で撮影された画像データを所定のテンプレート画像に合成する写真処理装置に関するものである。
【背景技術】
【０００２】
近年、デジタルカメラが普及してきている。このデジタルカメラで撮影された画像は、プリンタ等のプリント装置で出力することにより銀塩写真と同様に扱われる。また、様々なテンプレート画像に合成してプリント出力することで写真以外の用途にも使用することができ、付加価値のある画像プリントを実現することができる。
【０００３】
例えば、特許文献１には、画像が印刷された写真立て用面と、その裏面に印刷された書簡用面とを備えた写真立て兼用書簡をプリント出力することが開示されている。
【特許文献１】特開２００３−２６６９７３号公報
【発明の開示】
【発明が解決しようとする課題】
【０００４】
しかし、従来の発明では、テンプレート画像の画像合成領域に対して合成すべき対象画像を合成した場合には、該対象画像の画像サイズに基づいて画一的にレイアウトが決定されてしまう。このため、例えば、対象画像の一部を拡大して画像合成領域に合成する等のように、ユーザーの好みに応じて画像のレイアウトを変更することができず、ユーザーの希望を満足する印刷物を作成することができなかった。
【０００５】
さらに、テンプレート画像のプリントに必要な用紙サイズと、実際にプリント装置にセットされている用紙サイズとが異なっていた場合、セットされた用紙サイズの方が小さければ、テンプレート画像の一部が欠損した状態でプリントされてしまう。また、テンプレート画像を装飾用カバーとして用いる場合、被装飾物の大きさはあらかじめ決まっているため、プリントサイズはそれに対応した大きさにする必要があり、セットされた用紙サイズが適合していなければプリントされたテンプレート画像の一部に欠損を生じるおそれがある。
【０００６】
このように、用紙サイズが適合していない状態でプリントされた印刷物は不良品となり廃棄しなければならず、プリント用紙及びインク等のプリントにかかるコストが無駄になるという問題があった。
【０００７】
本発明は、かかる点に鑑みてなされたものであり、その目的とするところは、画像合成後のレイアウト変更の自由度を高めることにある。
【０００８】
さらに、他の目的は、プリント用紙のサイズ違いによる印刷物の不良を削減することにある。
【課題を解決するための手段】
【０００９】
すなわち、請求項１の発明は、少なくとも１つの対象画像をテンプレート画像に合成する写真処理装置であって、
前記対象画像をサムネイル表示するサムネイル表示手段と、
前記サムネイル表示された対象画像のうち少なくとも１つを選択し、該選択された対象画像を前記テンプレート画像に形成された少なくとも１つの画像合成領域に合成する画像合成手段と、
前記画像合成領域の領域サイズに応じて、前記合成された対象画像の画像サイズの拡大もしくは縮小、又は該対象画像の角度もしくは位置の調整を行う画像調整手段と、
前記画像合成されたテンプレート画像をプリント用紙にプリントするプリント手段とを備えていることを特徴とする。
【００１０】
従って、本発明によれば、対象画像がサムネイル表示されるため、表示された画像を実際に見ながら画像合成領域に合成することができ、違う画像を間違えて貼り付けてしまうというミスを防止することができる。
【００１１】
また、合成後の対象画像を拡大もしくは縮小、又は角度もしくは位置調整することができるので、プリント前にユーザーのイメージ通りのテンプレート画像を作成することができる。これにより、プリント後に自分のイメージと違っていたために、再度やり直すといった手間が省かれ、しかも、プリント用紙及びインク等のプリントにかかるコストが無駄になることを防止する上で有利となる。
【００１２】
請求項２の発明は、請求項１に記載された写真処理装置において、
前記プリント手段による前記テンプレート画像のプリント前に、該テンプレート画像を所定寸法に拡大又は縮小する画像寸法変更手段をさらに備えていることを特徴とする。
【００１３】
従って、本発明によれば、所定寸法でテンプレート画像をプリントする前に、自動的に該テンプレート画像を前記所定寸法に拡大又は縮小することができるから、寸法の補正を忘れたままプリントしてしまい、所定寸法よりも大きい又は小さい印刷物を作成することを防止することができる。
【００１４】
請求項３の発明は、請求項２に記載された写真処理装置において、
前記テンプレート画像を前記所定寸法でプリントするために必要な前記プリント用紙の用紙サイズと、プリント用にセットされている該プリント用紙の用紙サイズとを比較判別する判別手段と、
前記判別手段の判別により、前記用紙サイズが不適合と判断された場合に、オペレーターに対して用紙サイズのエラーを通知するエラー通知手段とをさらに備えていることを特徴とする。
【００１５】
従って、本発明によれば、用紙サイズの適否を判断してオペレータに対してエラー通知を行うため、テンプレート画像の寸法よりも小さな用紙に対して該テンプレート画像の一部が欠損した状態でプリントされてしまうといったミスを事前に防止することができ、プリント用紙及びインク等といったプリントにかかるコストが無駄になることを防止することができる。
【００１６】
請求項４の発明は、請求項１乃至３のうち何れか１項に記載された写真処理装置において、
前記テンプレート画像は、所定の形状物を作るためのペーパークラフトの展開図であることを特徴とする。
【００１７】
従って、本発明によれば、対象画像を写真としてプリントするだけでなく、ペーパークラフトに画像合成してプリントすることで、通常のペーパークラフトよりも付加価値を高めて他製品との差別化を図ることができる。
【００１８】
請求項５の発明は、請求項４に記載された写真処理装置において、
前記テンプレート画像の画像合成領域は、透明フィルタにより透明に形成されていることを特徴とする。
【００１９】
従って、本発明によれば、テンプレート画像に透明フィルタをかけて画像合成領域を形成しているから、予め装置に記憶されているテンプレート画像以外にも写真やその他の画像を用いてテンプレート画像を新たに作成することができる。
【００２０】
さらに、画像合成領域を透明にすることにより、対象画像にテンプレート画像を重ね合わせて画像合成を行うことができ、合成した画像を別途保存しておく必要がなく、メモリ容量の削減になるとともに処理速度が速いため、ユーザーの待ち時間が少なくて済む。
【００２１】
請求項６の発明は、請求項４又は５に記載された写真処理装置において、
前記テンプレート画像は、装飾用カバーの展開図であることを特徴とする。
【００２２】
従って、本発明によれば、対象画像を写真としてプリントするだけでなく、装飾用カバーに画像合成してプリントすることで、例えば、装飾用カバーとしてティッシュ箱カバーを作製した場合には、通常のティッシュ箱カバーよりも付加価値を高めて他製品との差別化を図ることができる。
【００２３】
請求項７の発明は、請求項４又は５に記載された写真処理装置において、
前記テンプレート画像は、写真飾り用のフレーム枠の展開図であり、
前記展開図は、前記対象画像と前記フレーム枠とが一体にプリントされ且つ組み立てによって該フレーム枠が立体的となるように形成されていることを特徴とする。
【００２４】
従って、本発明によれば、対象画像とフレーム枠とが一体にプリントされているので、従来のように写真飾り用フレームに写真を挿入する場合に比べて組み立ての手間が軽減できる。また、プリントされたフレーム枠は、組み立てにより立体的となるように形成されているから、写真の周縁部にフレーム枠の絵柄をプリントしただけのものに比べて意匠性に優れた写真飾り用のフレーム枠を形成することができ、さらにそのまま写真立てとして利用することができる。
【００２５】
請求項８の発明は、少なくとも１つの対象画像をテンプレート画像に合成する写真処理方法であって、
前記対象画像をサムネイル表示するサムネイル表示ステップと、
前記サムネイル表示された対象画像のうち少なくとも１つを選択し、該選択された対象画像を前記テンプレート画像に形成された少なくとも１つの画像合成領域に合成する画像合成ステップと、
前記画像合成領域の領域サイズに応じて、前記合成された対象画像の画像サイズの拡大もしくは縮小、又は該対象画像の角度もしくは位置の調整を行う画像調整ステップと、
前記画像合成されたテンプレート画像をプリント用紙にプリントするプリントステップとを行うことを特徴とする。
【００２６】
従って、本発明によれば、対象画像がサムネイル表示されるため、表示された画像を実際に見ながら画像合成領域に合成することができ、違う画像を間違えて貼り付けてしまうというミスを防止することができる。
【００２７】
また、合成後の対象画像を拡大もしくは縮小、又は角度もしくは位置調整することができるので、プリント前にユーザーのイメージ通りのテンプレート画像を作成することができる。これにより、プリント後に自分のイメージと違っていたために、再度やり直すといった手間が省かれ、しかも、プリント用紙及びインク等のプリントにかかるコストが無駄になることを防止する上で有利となる。
【００２８】
請求項９の発明は、請求項８に記載された写真処理方法において、
前記画像調整ステップと前記プリントステップとの間で、前記テンプレート画像を所定寸法に拡大又は縮小する画像寸法変更ステップをさらに行うことを特徴とする。
【００２９】
従って、本発明によれば、所定寸法でテンプレート画像をプリントする前に、自動的に該テンプレート画像を前記所定寸法に拡大又は縮小することができるから、寸法の補正を忘れたままプリントしてしまい、所定寸法よりも大きい又は小さい印刷物を作成することを防止することができる。
【００３０】
請求項１０の発明は、請求項９に記載された写真処理方法において、
前記画像寸法変更ステップと前記プリントステップとの間で、
前記テンプレート画像を前記所定寸法でプリントするために必要な前記プリント用紙の用紙サイズと、プリント用にセットされている該プリント用紙の用紙サイズとを比較判別する判別ステップと、
前記判別ステップの判別により、前記用紙サイズが不適合と判断された場合に、オペレーターに対して用紙サイズのエラーを通知するエラー通知ステップとをさらに行うことを特徴とする。
【００３１】
従って、本発明によれば、用紙サイズの適否を判断してオペレータに対してエラー通知を行うため、テンプレート画像の寸法よりも小さな用紙に対して該テンプレート画像の一部が欠損した状態でプリントされてしまうといったミスを事前に防止することができ、プリント用紙及びインク等といったプリントにかかるコストが無駄になることを防止することができる。
【発明の効果】
【００３２】
本発明によれば、画像合成後の対象画像を拡大もしくは縮小、又は角度もしくは位置の調整を行うことができるので、ユーザーの好みに応じたテンプレート画像を容易に作成することができる。これにより、プリント後に自分のイメージと違っていたために、再度やり直すといった手間が省かれ、しかも、プリント用紙及びインク等のプリントにかかるコストが無駄になることを防止する上で有利となる。
【００３３】
また、所定寸法でテンプレート画像をプリントする前に、自動的に該テンプレート画像を前記所定寸法に拡大又は縮小できるから、所定寸法よりも大きい又は小さい印刷物を作成してしまうことを防止できる。
【００３４】
そして、用紙サイズの適否を判断してオペレータに対してエラー通知を行うため、テンプレート画像の寸法よりも小さな用紙に対して該テンプレート画像の一部が欠損した状態でプリントされてしまうといったミスを事前に防止することができる。
【００３５】
さらに、テンプレート画像はペーパークラフトの展開図となっており、該テンプレート画像をプリントして組み立てることにより、対象画像が合成されたペーパークラフトを作成することができ、通常のペーパークラフトよりも付加価値を高めて他製品との差別化を図ることができる。
【発明を実施するための最良の形態】
【００３６】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３７】
＜実施形態１＞
［全体構成］
図１は、本発明の実施形態１に係る写真処理装置１００を示す。この写真処理装置１００は、画像データの取得及びオーダ情報の取得を行い必要な補正処理等を行う受付ブロックＡと、その受付ブロックＡから通信ケーブル１を介して伝送される画像データをオーダ情報に基づきプリント用紙Ｐに対してプリントを行うプリントブロックＢとを備えている。
【００３８】
［受付ブロック］
受付ブロックＡは、ワゴン型のフレーム５の上部に設けられた受付装置６と、表示画面がタッチパネル７によって構成されている液晶型のディスプレイ８と、フレーム５の上下方向の中間位置に設けられたフラットベッドスキャナＦＳとを備えている。受付装置６の前面部には、フラッシュメモリからなる記録媒体Ｍｓに保存された画像データを読み出すための半導体ドライブ９と、ＣＤ−ＲやＤＶＤ等のディスク型の記録媒体Ｍｄに保存された画像データを読み出すためのディスクドライブ１０とが配設されている。
【００３９】
フラットベッドスキャナＦＳは、透明ガラス製のスキャニングデーブル１３とそのスキャニングテーブル１３の下側に配置されたスキャニングヘッド１４とを有する本体部１１と、その本体部１１に開閉自在に取り付けられたプラテンカバー１２とを備えている。
【００４０】
スキャニングヘッド１４は、主走査方向に配設された複数の光電変換素子（例えば、ＣＣＤ等）と光源とを備えていて、主走査方向と直交する副走査方向に移動することによりスキャニングテーブル１３に載せられたスキャニング対象物の画像をＲ（赤）・Ｇ（緑）・Ｂ（青）の三原色に色分解した画像データとして取り込むように構成されている。
【００４１】
［プリントブロック］
プリントブロックＢは、筐体１５と、その筐体１５の下部に配置された２つのマガジン収容部Ｂａ，Ｂａと、筐体１５の上部に配置され且つプリント用紙Ｐに対して画像データの記録を行うプリント部Ｂｂと、筐体１５の側部に配置されたインク貯留部Ｂｃとを備えている。筐体１５の上面部には、横送りベルト１６によって送り出された、小サイズのプリント用紙Ｐを受け止める仕分け部１７と、大サイズのプリント用紙Ｐを受け止めるラック板１８とが配設されている。
【００４２】
マガジン収容部Ｂａは、前壁体１５Ａのスライド移動に伴いスライド移動し、図示しないマガジンによって保持されたロール状のプリント用紙Ｐを収容するように構成されている。なお、下側のマガジン収容部Ｂａに収容されたプリント用紙Ｐの幅は、上側のマガジン収容部Ｂａに収容されたプリント用紙Ｐよりも大きい。
【００４３】
プリント用紙Ｐに対して画像のプリントを行う際に、２つのマガジン収容部Ｂａ，Ｂａのうちいずれか一方に収容されたプリント用紙Ｐをプリント部Ｂｂに対して一定のステップ状に供給し、それから、供給されたプリント用紙Ｐを搬送方向に垂直な方向について対称に搬送しながら画像データに基づいて画像のプリントを行い、画像がプリントされたプリント用紙Ｐを所定サイズに切断した後、横送りベルト１６又はラック板１８に対して送り出される。
【００４４】
［処理手順］
図２は、本発明の実施形態１の写真処理装置の処理の流れを示すフローチャートである。以下の操作は、タッチパネル７によって行うか、又は図示しないキーボードやマウス等の外部入力機器により行う。
【００４５】
図２に示すように、ステップＳ１０１で記録媒体Ｍｓを半導体ドライブ９に挿入し、該記録媒体Ｍｓに記録されている画像データ（対象画像）を読み出す。
【００４６】
ステップＳ１０２で、ディスプレイ８に表示されたオーダー画面からテンプレート作成モードを選択して起動する。
【００４７】
図３に示すように、テンプレート作成モードでは、色彩等が異なる複数のテンプレート画像２０が一覧表示されている。なお、本実施形態１では、テンプレート画像２０はティッシュ箱カバーの展開図である。テンプレート画像２０には、画像データを合成するための複数の画像合成領域２１が形成されており様々な形状のものがある。
【００４８】
ステップＳ１０３で、ユーザーは複数のテンプレート画像２０の中から希望する画像を選択して「次へ」のボタンを押し、図４に示すような画像合成モードを表示する。画像合成モードでは、表示画面が上下２分割されている。
【００４９】
画面上部はテンプレート画像２０を表示するテンプレート表示領域２５であり、ユーザーが選択したテンプレート画像２０が表示されている。画面下部は画像データ２２をサムネイル表示するサムネイル表示領域２６であり、記録媒体Ｍｓから読み出した画像データ２２がサムネイル表示されている。なお、画面右上の「表示サイズ」を示すボックス２７は、テンプレート画像２０の画面表示倍率を変更するものである。
【００５０】
ステップＳ１０４でサムネイル表示領域２６に表示された複数の画像データ２２のうち１つを選択して、テンプレート表示領域２５に向かってドラッグし、テンプレート画像２０の複数の画像合成領域２１のうち１つを選択して該画像データ２２をドロップすることにより、その画像合成領域２１に画像データ２２を合成する。このような画像データ２２のドラッグ＆ドロップを繰り返して、テンプレート画像２０の全ての画像合成領域２１に画像データ２２を合成した後、画面右下の「閉じる」ボタンを押して画像合成モードを終了する。
【００５１】
次に、ステップＳ１０５で、図５に示すような画像編集モードを起動する。画像編集モードでは、ステップＳ１０４で画像合成を行ったテンプレート画像２０がテンプレート表示領域２５に表示されており、合成されている複数の画像データ２２のうち１つを選択することで、該選択された画像データ２２に関するズーム率及び画像回転の編集画面を画面右端に表示する。
【００５２】
ステップＳ１０６で、ユーザーが前記選択した画像データ２２のズーム率及び画像角度を変更する。具体的には、「ズーム率」を示すボックス２８の倍率を増減することにより、テンプレート表示領域２５に表示されている画像データ２２を拡大又は縮小する。また、「画像回転」を示すボックス２９に回転させたい角度を入力することで、画像データ２２が回転する。このボックス２９の下側には、画像データ２２を９０°、１８０°又は−９０°回転させるボタンが設けられており、回転角度の数値入力が間便化されている。なお、この画像編集モードでは、合成した画像データ２２の位置を変更することもできる。
【００５３】
そして、画像データ２２の編集終了後、「プリント」を示すボタンを押し、ステップＳ１０７でテンプレート画像２０の出力サイズを決定し、該出力サイズに応じて前記テンプレート画像２０を拡大又は縮小して所定寸法でプリント可能な状態に設定する。
【００５４】
ステップＳ１０８でプリントブロックＢに収容されているプリント用紙Ｐの用紙サイズを判別し、前記テンプレート画像の出力サイズと前記プリント用紙Ｐの用紙サイズとが適合するか否かを判定する。
【００５５】
ステップＳ１０８での判定が「ＹＥＳ」の場合には、ステップＳ１０９に分岐してテンプレート画像２０のプリント出力を行う。ステップＳ１０８での判定が「ＮＯ」の場合には、ステップＳ１１０に分岐してオペレータに対して用紙サイズが不適合であることを知らせるエラー通知を行い、再びステップＳ１０８に戻る。以上のような処理により、画像データ２２が合成されたテンプレート画像２０のプリントを完了する。
【００５６】
図６は、上記処理手順でプリント用紙Ｐにテンプレート画像２０をプリントしたティッシュ箱カバーの展開図である。図６において、ティッシュ箱カバーの不要部分（図で「削除」の部分）を削除して、折り曲げ線に沿って折り曲げ、のりしろに接着剤を塗布して接着して組み立てることにより、図７に示すような画像合成されたティッシュ箱カバーが完成する。
【００５７】
なお、本実施形態１では、テンプレート画像２０としてティッシュ箱カバーを用いたが、これに限定されず、画像合成領域２１を有するものであればよい。また、テンプレート画像２０に形成される画像合成領域２１の形状、個数及び配置は任意であり、本実施形態１のものに限定されない。
【００５８】
以上のように、本発明の実施形態１に係る写真処理装置によれば、画面に表示されるガイド表示に従って画像合成していくだけで、ユーザーの撮影したデジタルカメラの画像データ２２が合成されたティッシュ箱カバーを作成することができ、付加価値の高いプリント出力サービスを提供することができる。
【００５９】
また、プリントブロックＢに収容されているプリント用紙Ｐの用紙サイズと、ティッシュ箱カバーのテンプレート画像２０の出力サイズとの適合を判断し、用紙サイズが不適合の場合にはオペレータに対してエラー通知をすることにより、テンプレート画像２０の一部が欠損した状態でプリントしてしまうことを防止することができ、プリント用紙Ｐ及びインクが無駄になることを防止することができる。
【００６０】
＜実施形態２＞
図８は、写真飾り用フレーム枠３０の展開図である。本実施形態２における画像データの合成手順は上記実施形態１と同様であるため詳細な説明は省略する。以下、プリント出力により得られる写真飾り用フレーム枠３０の形状及び組み立てについて説明する。
【００６１】
図８に示すように、写真飾り用フレーム枠３０の略中央部に長方形状の画像合成領域３１が設けられている。この画像合成領域３１は、実際の銀塩写真と略同じサイズになるように形成されている。
【００６２】
前記画像合成領域３１の周縁には、フレーム枠３２が設けられており、このフレーム枠３２は組み立てることにより立体的なフレームとなるように形成されている。具体的には、フレーム枠３２の四隅の不要部分が取り除かれて隙間が形成されており、該隙間を挟んで相対する一方の辺には係合突起３３が形成され、他方の辺にはのりしろ部３４が形成されている。さらに、のりしろ部３４の中央には切り込み３５が形成されている。
【００６３】
そして、フレーム枠３２に描かれている折り曲げ線に沿って用紙を折り曲げ、前記切り込み３５に係合突起３３を挿入して係合することにより、図９に示すような立体的な構造を有する写真飾り用フレーム枠３０が構成される。これにより、写真とフレーム枠とが一体となった意匠性に優れた立体的な写真立てが完成する。
【００６４】
なお、フレーム枠３２のプリント面に、例えば木材やアルミ材を模したプリントを施すことにより高級感を出すことができ、さらに意匠性に優れるたものにすることができる。
【００６５】
さらに、前記写真飾り用フレーム枠３０の変形例として、図１０に示すような写真飾り用フレーム枠４０が考えられる。これは、図１０に示すように、上述した写真飾り用フレーム枠３０に対してフレーム支持部４１が追加されたものである。
【００６６】
前記写真飾り用フレーム枠４０を組み立て、フレーム支持部４１を底面とすることで、そのまま写真立てとして機能させることができ、より利便性が高まる。
【００６７】
＜実施形態３＞
図１２は、自動車のペーパークラフト５０の展開図である。図１２に示すように、ペーパークラフト５０のテンプレート画像において、自動車の前部、両側部及び後部の窓ガラス位置が画像合成領域５１に指定されており、当該部位に透明フィルタがかけられて透明に形成されている。
【００６８】
さらに、前記自動車のペーパークラフト５０の変形例として、図１３に示すような自動車のペーパークラフト６０が考えられる。これは、自動車のサンルーフ部分が画像合成領域６１に指定されており、当該部位に透明フィルタがかけられて透明に形成されている。
【００６９】
以上のように、透明フィルタがかけられたテンプレート画像に画像データを合成し、プリント用紙にプリントすることで、自動車のペーパークラフト５０、６０を作成することができる。そして、プリント後は不要部分を削除して、折り曲げ、接着等を行って組み立てることで、自動車に人が乗車している状態を表現したペーパークラフト５０、６０を作成することができる。
【産業上の利用可能性】
【００７０】
以上説明したように、本発明は、写真処理装置に対し、画像データをテンプレート画像に合成した後で、指定した画像の拡大率や画像角度を変更することにより、ユーザーの希望を満足するペーパークラフトを作成することができるという実用性の高い効果が得られることから、きわめて有用で産業上の利用可能性は高い。
【００７１】
なお、本発明の実施形態においては、インクジェットプリンタを用いてプリント用紙に直接印刷することでプリントを作成したが、これに限定されず、例えば、画像データを印画紙に露光し、露光された印画紙を現像処理して乾燥することでプリントを作成しても良い。
【図面の簡単な説明】
【００７２】
【図１】本発明の実施形態１に係る写真処理装置の全体構成を示す図である。
【図２】本発明の実施形態１に係る写真処理装置の処理の流れを示すフローチャートである。
【図３】テンプレート作成モードを表示した状態を示す図である。
【図４】画像合成モードを表示した状態を示す図である。
【図５】画像編集モードを表示した状態を示す図である。
【図６】本発明の実施形態１におけるティッシュ箱カバーの展開図である。
【図７】本発明の実施形態１におけるティッシュ箱カバーを組み立てたときの完成図である。
【図８】本発明の実施形態２における写真飾り用フレーム枠の展開図である。
【図９】本発明の実施形態２における写真飾り用フレーム枠を組み立てたときの完成図である。
【図１０】本発明の実施形態２における写真飾り用フレーム枠の展開図の変形例である。
【図１１】本発明の実施形態２の変形例における写真飾り用フレーム枠を組み立てたときの完成図である。
【図１２】本発明の実施形態３における自動車のペーパークラフトの展開図である。
【図１３】本発明の実施形態３における自動車のペーパークラフトの展開図の変形例である。
【符号の説明】
【００７３】
２０    テンプレート画像
２１    画像合成領域
２２    画像データ
２５    テンプレート表示領域
２６    サムネイル表示領域
２７    ボックス
２８    ボックス
２９    ボックス
３０    写真飾り用フレーム枠
５０    ペーパークラフト
１００  写真処理装置
Ａ    受付ブロック
Ｂ    プリントブロック
Ｐ    プリント用紙
【図１】
2006005840.tif 000003
【図２】
2006005840.tif 000004
【図３】
2006005840.tif 000005
【図４】
2006005840.tif 000006
【図５】
2006005840.tif 000007
【図６】
2006005840.tif 000008
【図７】
2006005840.tif 000009
【図８】
2006005840.tif 000010
【図９】
2006005840.tif 000011
【図１０】
2006005840.tif 000012
【図１１】
2006005840.tif 000013
【図１２】
2006005840.tif 000014
【図１３】
2006005840.tif 000015